(57)【特許請求の範囲】
【請求項１】
複数の画像を所定のレイアウトにより配置したインデックスプリントを複数収容可能なプリント収容部および前記複数の画像を記録した記録媒体を収容する記録媒体収容部が綴じられてなるアルバム冊子であって、該アルバム冊子を特定する識別情報を記憶した通信素子を備えたアルバム冊子から、前記識別情報を読み取る識別情報読取手段と、
前記インデックスプリントに配置されたすべての画像を、前記識別情報と対応づけて前記記録媒体に記録する記録手段とを備えたことを特徴とする画像記録装置。
【請求項２】
前記記録手段は、前記所定のレイアウトを表すレイアウト情報をさらに前記識別情報と対応づけて前記記録媒体に記録する手段であることを特徴とする請求項１記載の画像記録装置。
【請求項３】
請求項１記載の画像記録装置により前記画像および前記識別情報が記録された記録媒体から該画像および該識別情報を読み出す読出手段と、
前記記録媒体から読み出した前記画像を前記識別情報と対応づけて保存する保存手段と、
前記アルバム冊子の前記通信素子から前記識別情報を読み取る識別情報読取手段と、
読み取った識別情報に対応する画像を検索する検索手段と、
前記検索した画像を再生する再生手段とを備えたことを特徴とする画像管理装置。
【請求項４】
請求項２記載の画像記録装置により前記画像、前記識別情報および前記レイアウト情報が記録された記録媒体から該画像、該識別情報および該レイアウト情報を読み出す読出手段と、
前記記録媒体から読み出した前記画像および前記レイアウト情報を、前記識別情報と対応づけて保存する保存手段と、
前記アルバム冊子の前記通信素子から前記識別情報を読み取る識別情報読取手段と、
読み取った識別情報に対応する画像およびレイアウト情報を検索する検索手段と、
前記検索した画像を前記検索したレイアウト情報に基づいてレイアウトして再生する再生手段とを備えたことを特徴とする画像管理装置。
【請求項５】
複数の画像を所定のレイアウトにより配置したインデックスプリントを複数収容可能なプリント収容部および前記複数の画像を記録した記録媒体を収容する記録媒体収容部が綴じられてなるアルバム冊子であって、該アルバム冊子を特定する識別情報を記憶した通信素子を備えたアルバム冊子から前記識別情報を読み取り、
前記インデックスプリントに配置されたすべての画像を、前記識別情報と対応づけて前記記録媒体に記録することを特徴とする画像記録方法。
【請求項６】
前記所定のレイアウトを表すレイアウト情報をさらに前記識別情報と対応づけて前記記録媒体に記録することを特徴とする請求項５記載の画像記録方法。
【請求項７】
請求項５記載の画像記録方法により前記画像および前記識別情報が記録された記録媒体から該画像および該識別情報を読み出し、
前記記録媒体から読み出した前記画像を前記識別情報と対応づけて保存し、
前記アルバム冊子の前記通信素子から前記識別情報を読み取り、
読み取った識別情報に対応する画像を検索し、
前記検索した画像を再生することを特徴とする画像管理方法。
【請求項８】
請求項６記載の画像記録方法により前記画像、前記識別情報および前記レイアウト情報が記録された記録媒体から該画像、該識別情報および該レイアウト情報を読み出し、
前記記録媒体から読み出した前記画像および前記レイアウト情報を、前記識別情報と対応づけて保存し、
前記アルバム冊子の前記通信素子から前記識別情報を読み取り、
読み取った識別情報に対応する画像およびレイアウト情報を検索し、
前記検索した画像を前記検索したレイアウト情報に基づいてレイアウトして再生することを特徴とする画像管理方法。
【請求項９】
複数の画像を所定のレイアウトにより配置したインデックスプリントを複数収容可能なプリント収容部および前記複数の画像を記録した記録媒体を収容する記録媒体収容部が綴じられてなるアルバム冊子であって、該アルバム冊子を特定する識別情報を記憶した通信素子を備えたアルバム冊子から前記識別情報を読み取る手順と、
前記インデックスプリントに配置されたすべての画像を、前記識別情報と対応づけて前記記録媒体に記録する手順とを有することを特徴とする画像記録方法をコンピュータに実行させるためのプログラム。
【請求項１０】
請求項５記載の画像記録方法により前記画像および前記識別情報が記録された記録媒体から該画像および該識別情報を読み出す手順と、
前記記録媒体から読み出した前記画像を前記識別情報と対応づけて保存する手順と、
前記アルバム冊子の前記通信素子から前記識別情報を読み取る手順と、
読み取った識別情報に対応する画像を検索する手順と、
前記検索した画像を再生する手順とを有することを特徴とする画像管理方法をコンピュータに実行させるためのプログラム。
【請求項１１】
請求項６記載の画像記録方法により前記画像、前記識別情報および前記レイアウト情報が記録された記録媒体から該画像、該識別情報および該レイアウト情報を読み出す手順と、
前記記録媒体から読み出した前記画像および前記レイアウト情報を、前記識別情報と対応づけて保存する手順と、
前記アルバム冊子の前記通信素子から前記識別情報を読み取る手順と、
読み取った識別情報に対応する画像およびレイアウト情報を検索する手順と、
前記検索した画像を前記検索したレイアウト情報に基づいてレイアウトして再生する手順とを有することを特徴とする画像管理方法をコンピュータに実行させるためのプログラム。
【発明の詳細な説明】
【技術分野】
【０００１】
本発明は、画像をＣＤ、ＤＶＤ等の記録媒体に記録する画像記録装置および方法、画像を保存する画像管理装置および方法、複数の画像を配置したインデックスプリントを収容するアルバム冊子、並びに画像記録方法および画像管理方法をコンピュータに実行させるためのプログラムに関するものである。
【背景技術】
【０００２】
デジタルカメラにより取得した画像をプリント出力するプリントサービスが提供されている。このようなプリントサービスにおいては、以下のようにプリントが行われる。すなわち、ユーザが自身のパソコンにおいて、ビューアソフトを用いてプリント出力する画像を指定するとともに、プリント枚数およびプリントサイズ等の注文内容を表す注文情報を作成し、注文情報をプリント出力する画像とともにメモリカード等のメディアに記録して写真店に持参する。写真店においては、写真店の店頭に設置された注文受付装置にメディアをセットし、ユーザが画面に現れる指示にしたがって操作を行うことにより、写真店のプリンタから注文情報により表される注文内容したがって画像がプリント出力される。
【０００３】
また、メディアに記録されている画像をＣＤに記録する注文を行うことにより、画像のバックアップを行うことも可能である。このような場合、メディアに記録されたすべての画像の一覧を並べたインデックスプリントが作成される場合がある。この場合、インデックスプリントを参照すれば、ＣＤにどのような画像が記録されているかを一見して知ることができる。
【０００４】
一方、無線通信が可能な小型の非接触型ＩＣメモリタグ等の通信素子（以下、ＩＣタグという）が埋め込まれた記録材料に画像をプリントする手法が提案されている（特許文献１参照）。この手法によれば、ＩＣタグに記録材料を特定する識別情報を記憶しておくとともに、識別情報とプリントした画像を表す画像データとを対応づけて保存しておくことにより、ＩＣタグが付与された複数のプリントから識別情報を読み取り、読み取った識別情報に対応する画像データを読み出して、読み出した画像データにより表される画像を並べて配置したインデックスプリントを作成したり、読み出した画像データを用いてスライドショーを再生することが可能となる。
【特許文献１】特開２００５−５６０３０号公報
【発明の開示】
【発明が解決しようとする課題】
【０００５】
しかしながら、上記特許文献１に記載された手法においては、プリント毎にＩＣタグを付与しておき必要があるため、プリントする画像が多いとプリントのコストが増大してしまう。また、プリントは通常アルバムに収容されて保存されていることが多いため、識別情報を読み取るためには、アルバムからプリントを取り出す必要がある。したがって、特許文献１に記載された手法では、インデックスプリントの作成等、複数の画像の活用するための作業が非常に煩わしいものとなっている。
【０００６】
本発明は上記事情に鑑みなされたものであり、複数の画像を容易に活用できるようにすることを目的とする。
【課題を解決するための手段】
【０００７】
本発明による画像記録装置は、複数の画像を所定のレイアウトにより配置したインデックスプリントを複数収容可能なプリント収容部および前記複数の画像を記録した記録媒体を収容する記録媒体収容部が綴じられてなるアルバム冊子であって、該アルバム冊子を特定する識別情報を記憶した通信素子を備えたアルバム冊子から、前記識別情報を読み取る識別情報読取手段と、
前記インデックスプリントに配置されたすべての画像を、前記識別情報と対応づけて前記記録媒体に記録する記録手段とを備えたことを特徴とするものである。
【０００８】
通信素子とは、例えば非接触で交信が可能な非接触型ＩＣメモリタグのことであり、通信素子と無線通信を行うタグリーダにより非接触により情報の読み書きを行うことが可能なものである。
【０００９】
なお、本発明による画像記録装置においては、前記記録手段を、前記所定のレイアウトを表すレイアウト情報をさらに前記識別情報と対応づけて前記記録媒体に記録する手段としてもよい。
【００１０】
本発明による第１の画像管理装置は、本発明の画像記録装置により前記画像および前記識別情報が記録された記録媒体から該画像および該識別情報を読み出す読出手段と、
前記記録媒体から読み出した前記画像を前記識別情報と対応づけて保存する保存手段と、
前記アルバム冊子の前記通信素子から前記識別情報を読み取る識別情報読取手段と、
読み取った識別情報に対応する画像を検索する検索手段と、
前記検索した画像を再生する再生手段とを備えたことを特徴とするものである。
【００１１】
本発明による第２の画像管理装置は、本発明の画像記録装置により前記画像、前記識別情報および前記レイアウト情報が記録された記録媒体から該画像、該識別情報および該レイアウト情報を読み出す読出手段と、
前記記録媒体から読み出した前記画像および前記レイアウト情報を、前記識別情報と対応づけて保存する保存手段と、
前記アルバム冊子の前記通信素子から前記識別情報を読み取る識別情報読取手段と、
読み取った識別情報に対応する画像およびレイアウト情報を検索する検索手段と、
前記検索した画像を前記検索したレイアウト情報に基づいてレイアウトして再生する再生手段とを備えたことを特徴とするものである。
【００１２】
本発明によるアルバム冊子は、複数の画像を所定のレイアウトにより配置したインデックスプリントを複数収容可能なプリント収容部および前記複数の画像を記録した記録媒体を収容する記録媒体収容部が綴じられてなるアルバム冊子において、
該アルバム冊子を特定する識別情報を記憶した通信素子を備えたことを特徴とするものである。
【００１３】
本発明による画像記録方法は、複数の画像を所定のレイアウトにより配置したインデックスプリントを複数収容可能なプリント収容部および前記複数の画像を記録した記録媒体を収容する記録媒体収容部が綴じられてなるアルバム冊子であって、該アルバム冊子を特定する識別情報を記憶した通信素子を備えたアルバム冊子から前記識別情報を読み取り、
前記インデックスプリントに配置されたすべての画像を、前記識別情報と対応づけて前記記録媒体に記録することを特徴とするものである。
【００１４】
なお、本発明による画像記録方法においては、前記所定のレイアウトを表すレイアウト情報をさらに前記記録媒体に記録するようにしてもよい。
【００１５】
本発明による第１の画像管理方法は、本発明の画像記録方法により前記画像および前記識別情報が記録された記録媒体から該画像および該識別情報を読み出し、
前記記録媒体から読み出した前記画像を前記識別情報と対応づけて保存し、
前記アルバム冊子の前記通信素子から前記識別情報を読み取り、
読み取った識別情報に対応する画像を検索し、
前記検索した画像を再生することを特徴とするものである。
【００１６】
本発明による第２の画像管理方法は、本発明の画像記録方法により前記画像、前記識別情報および前記レイアウト情報が記録された記録媒体から該画像、該識別情報および該レイアウト情報を読み出し、
前記記録媒体から読み出した前記画像および前記レイアウト情報を、前記識別情報と対応づけて保存し、
前記アルバム冊子の前記通信素子から前記識別情報を読み取り、
読み取った識別情報に対応する画像およびレイアウト情報を検索し、
前記検索した画像を前記検索したレイアウト情報に基づいてレイアウトして再生することを特徴とするものである。
【００１７】
なお、本発明による画像記録方法、並びに第１および第２の画像管理方法をコンピュータに実行させるためのプログラムとして提供してもよい。
【発明の効果】
【００１８】
本発明の画像記録装置および方法によれば、アルバム冊子を特定する識別情報を記憶した通信素子を備えたアルバム冊子から識別情報を読み取り、インデックスプリントに配置されたすべての画像を、読み取った識別情報と対応づけて記録媒体に記録するようにしたものである。このため、インデックスプリントを収容したアルバム冊子と、アルバム冊子に収容したインデックスプリントに配置されている画像とを容易に対応づけることができる。
【００１９】
また、インデックスプリントのレイアウトを表すレイアウト情報をさらに識別情報と対応づけて記録媒体に記録することにより、インデックスプリントを収容したアルバム冊子と、アルバム冊子に収容したインデックスプリントに配置されている画像およびインデックスプリントのレイアウトとを容易に対応づけることができる。
【００２０】
本発明の第１の画像管理装置および方法によれば、インデックスプリントに配置されたすべての画像および識別情報が対応づけられて記録された記録媒体から画像および識別情報が読み出され、読み出された画像が識別情報と対応づけられて保存される。そして、アルバム冊子の通信素子から識別情報が読み取られ、読み取られた識別情報に対応する画像が検索され、検索された画像が再生される。このため、識別情報を一度読み取るのみで複数の画像を再生することができ、その結果、複数の画像を簡易に活用することができる。
【００２１】
本発明の第２の画像管理装置および方法によれば、インデックスプリントに配置されたすべての画像、識別情報およびレイアウト情報が対応づけられて記録された記録媒体から画像、識別情報およびレイアウト情報が読み出され、読み出された画像およびレイアウト情報が識別情報と対応づけられて保存される。そして、アルバム冊子の通信素子から識別情報が読み取られ、読み取られた識別情報に対応する画像が検索され、検索された画像がレイアウト情報にしたがってレイアウトされて再生される。このため、識別情報を一度読み取るのみで複数の画像をインデックスプリントに対応するレイアウトにより再生することができ、その結果、複数の画像を簡易に活用することができる。
【発明を実施するための最良の形態】
【００２２】
以下、図面を参照して本発明の実施形態について説明する。図１は本発明の実施形態による画像記録装置を適用したプリント等の注文受付装置の外観斜視図である。図１に示すように、本実施形態による注文受付装置１は、ユーザによる画像のＣＤへの記録およびプリント出力等の注文を受け付けるために写真店の店頭に設置されてなるものであり、画像が記録された各種メモリカード２を装填し、メモリカード２から画像を読み出したり、メモリカード２に画像を記録したりするための複数種類のカードスロット４と、注文のための各種表示を行う表示部６とを備え、写真店に設置されたＣＤドライブ８およびプリンタ１０と接続されている。なお、表示部６はタッチパネル式の入力部を備え、ユーザは表示部６の表示にしたがって表示部６にタッチすることにより、注文に必要な入力を行うことができる。また、注文受付装置１には、後述するタグリーダ３４が接続されている。
【００２３】
ここで、本実施形態においては、写真店は、ユーザがユーザの画像（以下ユーザ画像とする）のＣＤへの記録の注文を行った場合に、ＣＤに記録したユーザ画像のサムネイル画像を並べたインデックスプリントをプリント出力し、ＣＤおよびインデックスプリントをアルバム冊子に収容してユーザに渡すサービスを提供するものである。
【００２４】
図２は本発明の実施形態による注文受付装置の構成を示す概略ブロック図である。図２に示すように、注文受付装置１は、画像を表す画像データの記録制御および表示制御等の各種制御を行うとともに、装置１を構成する各部の制御を行うＣＰＵ１２と、装置１を動作させるための基本的なプログラムおよび各種定数が記録されているＲＯＭ並びにＣＰＵ１２が処理を実行する際の作業領域となるＲＡＭにより構成されるシステムメモリ１４と、種々の指示を装置１に対して行うためのタッチパネル式の入力部１６と、上述した表示部６とを備える。
【００２５】
また、注文受付装置１は、上述したカードスロット４と、画像データをＪＰＥＧに代表される手法で圧縮したり、圧縮した画像データを解凍する圧縮解凍部２２と、メモリカード２から読み出した画像データが表す画像のＣＤへの記録等を行うための注文プログラムを含むＣＰＵ１２が実行する各種プログラムを記録するハードディスク２４と、システムメモリ１４、カードスロット４およびハードディスク２４を制御するメモリ制御部２６と、表示部６の表示を制御する表示制御部２８と、ＣＤドライブ８およびプリンタ１０を装置１に接続するためのインターフェース（Ｉ／Ｆ）３０とを備える。
【００２６】
なお、カードスロット４はメモリカード２の種類に応じて複数用意されているが、図２においては１つのカードスロット４のみを示している。
【００２７】
また、注文受付装置１は、メモリカード２から読み出した複数のユーザ画像を例えばファイル名順に複数配置してインデックスプリントを得るためのインデックスプリント用データ（以下、インデックスプリントデータとする）を作成するインデックスプリント作成部３２を備える。ここで、本実施形態においては、図３に示すように、インデックスプリントの背景となる背景画像４０には、基本的に１２個のユーザ画像を挿入可能なように同一サイズの１２個の画像挿入領域４２が配置可能とされているが、さらに、図４に示すように１２個の画像挿入領域４２の任意の４つの画像挿入領域４２（ここでは右上の４つ）を結合して大サイズの画像挿入領域４２Ａを形成し、１枚の背景画像４０に９個のユーザ画像を配置することによりインデックスプリントデータを作成するものとする。また、インデックスプリント作成部３２は、インデックスプリントデータを作成する際に、配置されているユーザ画像のファイル名、拡大されたユーザ画像のファイル名およびその配置位置を表すレイアウト情報も作成する。
【００２８】
また、注文受付装置１は、後述するようにインデックスプリントを収容するアルバム冊子に付与されたＩＣタグから、アルバム冊子を識別する識別情報を非接触にて読み取るタグリーダ３４と、メモリカード２から読み出したユーザ画像およびインデックスプリントに配置されたユーザ画像のレイアウト情報を、読み取った識別情報と対応づけてＣＤに記録するようＣＤドライブ８を制御する記録制御部３６とを備える。なお、タグリーダ３４は、Ｉ／Ｆ３０に接続されており、写真店の店員が利用するものである。
【００２９】
図５は本実施形態によるアルバム冊子を示す図であり、（ａ）はアルバム冊子を綴じた状態を示す図、（ｂ）は後述するプリント収容部が現れるようにアルバム冊子を開いた状態を示す図、（ｃ）は後述するＣＤ収容部が現れるようにアルバム冊子を開いた状態を示す図である。図５に示すように本実施形態によるアルバム冊子５０は、インデックスプリントを複数収容可能なようにインデックスプリントに対応する矩形形状をなし、透明材料からなる袋状のプリント収容部５２、およびユーザ画像を記録したＣＤを収容する袋状のＣＤ収容部５４が、厚紙からなる表紙５６に複数綴じられることにより構成されている。ここで、インデックスプリントは、プリント収容部５２の開口部５２Ａからプリント収容部５２に収容される。
【００３０】
なお、表紙５６には窓部５８が形成されており、ここにＣＤに記録されたユーザ画像を代表する画像が収容されている。また、アルバム冊子５０の表紙５６にはアルバム冊子５０を識別するための識別情報をあらかじめ記憶した非接触型のＩＣタグ６０が例えば接着されることにより付与されている。
【００３１】
以下、タグリーダ３４および記録制御部３６の機能について、注文受付装置１が行う処理と併せて説明する。
【００３２】
図６は本発明の実施形態による注文受付装置が行う処理を示すフローチャートである。ユーザがメモリカード２をカードスロット４に装填し、メモリカード２に記録されたユーザ画像のＣＤへの記録の注文の指示を入力部１６から行うことによりＣＰＵ１２が処理を開始し、メモリカード２に記録された複数のユーザ画像を読み込む（ステップＳＴ１）。次いで、インデックスプリント作成部３２がユーザ画像を上述したように背景画像４０に配置してインデックスプリントデータを作成する（ステップＳＴ２）。さらに、インデックスプリントデータにおける画像のレイアウトを表すレイアウト情報を作成する（ステップＳＴ３）。なお、レイアウト情報はハードディスク２４に一時的に保存される。
【００３３】
次いでインデックスプリント作成部３２は、インデックスプリントデータをプリンタ１０に送信する（ステップＳＴ４）。これにより、プリンタ１０は、ユーザ画像のサムネイル画像をファイル名順に並べたインデックスプリントをプリント出力する（ステップＳＴ５）。
【００３４】
次いで、写真店の店員はプリント出力されたインデックスプリントを順番にアルバム冊子５０に収容する。そして、収容後にアルバム冊子５０に付与されたＩＣタグ６０をタグリーダ３４にかざすことにより、ＩＣタグ６０に記憶された識別情報をタグリーダ３４に読み取らせる。
【００３５】
このため、記録制御部３６は、ＩＣタグ６０から識別情報が読み取られたか否かの監視を開始し（ステップＳＴ６）、ステップＳＴ６が肯定されると、ユーザ画像およびレイアウト情報を識別情報と対応づけてＣＤドライブ８に送信する（ステップＳＴ７）。これによりＣＤドライブ８は、ユーザ画像およびレイアウト情報を識別情報と対応づけてＣＤに記録し（ステップＳＴ８）、処理を終了する。
【００３６】
写真店の店員は、ユーザ画像が記録されたＣＤをアルバム冊子５０のＣＤ収容部５４に収容し、できあがったアルバム冊子５０をユーザに渡す。
【００３７】
次いで、本発明の実施形態による画像管理装置について説明する。図７は本発明の実施形態による画像管理装置の構成を示す概略ブロック図である。図７に示すように、本実施形態による画像管理装置１００は、アルバム冊子５０を受け取ったユーザに利用されるものであり、画像を表す画像データの記録制御および表示制御等の各種制御を行うとともに、装置１００を構成する各部の制御を行うＣＰＵ６２と、装置１００を動作させるための基本的なプログラムおよび各種定数が記録されているＲＯＭ並びにＣＰＵ６２が処理を実行する際の作業領域となるＲＡＭにより構成されるシステムメモリ６４と、種々の指示を装置１００に対して行うためのキーボードおよびマウス等からなる入力部６６と、各種表示を行うための表示部６８とを備える。
【００３８】
また、画像管理装置１００は、画像データをＪＰＥＧに代表される手法で圧縮したり、圧縮した画像データを解凍する圧縮解凍部７２と、ＣＰＵ６２が実行する各種プログラム等を記録するハードディスク７４と、システムメモリ６４およびハードディスク７４を制御するメモリ制御部７６と、表示部６８の表示を制御する表示制御部７８と、ＣＤドライブ８０およびタグリーダ８２を装置１００に接続するためのインターフェース（Ｉ／Ｆ）８４とを備える。なお、タグリーダ８２は上述したタグリーダ３４と同様に、インデックスプリントを収容するアルバム冊子５０に付与されたＩＣタグから、アルバム冊子５０の識別情報を非接触にて読み取るものである。
【００３９】
また、画像管理装置１００は、後述するようにアルバム冊子５０のＩＣタグ６０から読み取った識別情報に対応するユーザ画像をハードディスク７４に保存されているユーザ画像から検索する検索部８６と、検索したユーザ画像を後述するようにレイアウトしてレイアウト画像を作成するレイアウト画像作成部８８とを備える。
【００４０】
ここで、本実施形態による画像管理装置１００においては、ユーザが複数のアルバム冊子５０を所持しており、そのそれぞれに収容されているユーザ画像を記録したＣＤから、ＣＤドライブ８０を用いてユーザ画像、レイアウト情報および識別情報を読み取り、ユーザ画像およびレイアウト情報を識別情報と対応づけてハードディスク７４にアルバム冊子単位で保存しておくものである。
【００４１】
次いで、本実施形態による画像管理装置１００が行う処理について説明する。図８は本発明の実施形態による画像管理装置１００が行う処理を示すフローチャートである。ユーザが所望とするアルバム冊子５０のＩＣタグ６０をタグリーダ８２に読み取らせることにＣＰＵ６２が処理を開始する。このため、ＣＰＵ６２はタグリーダ８２が識別情報を読み取ったか否かの監視を行っており（ステップＳＴ１１）、ステップＳＴ１１が肯定されると、検索部８６が、読み取られた識別情報に対応づけられたユーザ画像およびレイアウト情報を検索する（ステップＳＴ１２）。
【００４２】
次いで、レイアウト画像作成部８８が、検索されたユーザ画像をレイアウト情報に基づいてレイアウトしてレイアウト画像を作成する（ステップＳＴ１３）。このレイアウト画像に含まれる画像の配置は、識別情報を読み取ったアルバム冊子５０に収容されているインデックスプリントと同一のものとなる。そして、レイアウト画像を表示部６８に表示し（ステップＳＴ１４）、処理を終了する。
【００４３】
図９はレイアウト画像の表示画面を示す図である。図９に示すようにレイアウト画像の表示画面９０には、レイアウト画像を表示する画像表示エリア９０Ａ、画像表示エリア９０Ａに表示されるレイアウト画像を切り替えるための前ページボタン９０Ｂ、次ページボタン９０Ｃおよびスライドショーを再生するためのスライドショーボタン９０Ｄが表示されている。
【００４４】
ユーザは前ページボタン９０Ｂおよび次ページボタン９０Ｃを選択することにより、画像表示エリア９０Ａに表示するレイアウト画像を、アルバム冊子５０においてページをめくるのと同様に切り替えることができる。また、スライドショーボタン９０Ｄを選択することにより、検索されたユーザ画像のスライドショーを再生することができる。
【００４５】
このように、本実施形態による画像記録装置によれば、アルバム冊子５０のＩＣタグ６０からアルバム冊子５０の識別情報を読み取り、インデックスプリントに配置されたすべてのユーザ画像を読み取った識別情報と対応づけてＣＤに記録するようにしたものである。このため、インデックスプリントを収容したアルバム冊子５０と、アルバム冊子５０に収容したインデックスプリントに配置されているユーザ画像とを容易に対応づけることができる。
【００４６】
また、インデックスプリントのレイアウトを表すレイアウト情報をさらに識別情報と対応づけてＣＤに記録することにより、インデックスプリントを収容したアルバム冊子５０と、アルバム冊子５０に収容したインデックスプリントに配置されているユーザ画像およびインデックスプリントのレイアウトとを容易に対応づけることができる。
【００４７】
また、本実施形態の画像管理装置によれば、ＣＤに記録されたユーザ画像およびインデックスプリントのレイアウト情報を、対応するアルバム冊子５０のＩＣタグ６０に記憶された識別情報と対応づけて保存しておき、アルバム冊子５０のＩＣタグ６０から識別情報を読み取り、読み取った識別情報に対応するユーザ画像およびレイアウト情報を検索してユーザ画像をレイアウトして再生するようにしたものである。このため、識別情報を一度読み取るのみで複数のユーザ画像をインデックスプリントに対応するレイアウトにより再生することができ、その結果、簡易に複数のユーザ画像を活用することができる。
【００４８】
なお、上記画像記録装置の実施形態においては、レイアウト情報をＣＤに記録しているが、レイアウト情報をＣＤに記録しないようにしてもよい。この場合、画像管理装置１００においては、読み取った識別情報に対応するユーザ画像のみが検索され、これがサムネイル画像の一覧あるいはスライドショー等として再生されることとなる。
【００４９】
また、上記実施形態においては、ユーザ画像、レイアウト情報および識別情報をＣＤに記録しているが、ＤＶＤ等の他の記録媒体であってもよい。
【００５０】
以上、本発明の実施形態に係る画像記録装置および画像管理装置について説明したが、コンピュータを、インデックスプリント作成部３２、記録制御部３６、検索部８６、およびレイアウト画像作成部８８に対応する手段として機能させ、図６，８に示すような処理を行わせるプログラムも、本発明の実施形態の１つである。また、そのようなプログラムを記録したコンピュータ読み取り可能な記録媒体も、本発明の実施形態の１つである。また、このようなプログラムを、画像を閲覧するためのビューアソフトに組み込むようにしてもよい。
【図面の簡単な説明】
【００５１】
【図１】本発明の実施形態による画像記録装置を適用した注文受付装置の外観斜視図
【図２】本発明の実施形態による注文受付装置の構成を示す概略ブロック図
【図３】インデックスプリントを説明するための図（その１）
【図４】インデックスプリントを説明するための図（その２）
【図５】アルバム冊子を示す図
【図６】本発明の実施形態による注文受付装置が行う処理を示すフローチャート
【図７】本発明の実施形態による画像管理装置の構成を示す概略ブロック図
【図８】本発明の実施形態による画像管理装置が行う処理を示すフローチャート
【図９】レイアウト画像の表示画面を示す図
【符号の説明】
【００５２】
１    注文受付装置
２    メモリカード
４    カードスロット
６，６８    表示部
８，８０    ＣＤドライブ
１０    プリンタ
１２，６２    ＣＰＵ
１４，６４    システムメモリ
１６，６６    入力部
２２，７２    圧縮解凍部
２４，７４    ハードディスク
２６，７６    メモリ制御部
２８，７８    表示制御部
３０，８４    インターフェース
３２    インデックスプリント作成部
３４，８２    タグリーダ
３６    記録制御部
４０    背景画像
４２    画像挿入領域
５０    アルバム冊子
５２    プリント収容部
５４    ＣＤ収容部
５６    表紙
８６    検索部
８８    レイアウト画像作成部
９０    表示画面
１００    画像管理装置
【図１】
0004739069.tif 000002
【図２】
0004739069.tif 000003
【図３】
0004739069.tif 000004
【図４】
0004739069.tif 000005
【図５】
0004739069.tif 000006
【図６】
0004739069.tif 000007
【図７】
0004739069.tif 000008
【図８】
0004739069.tif 000009
【図９】
0004739069.tif 000010